(57)【特許請求の範囲】
【請求項１】
自動車のボディーに適用しようとするデザインをコンピュータシステムのディスプレイ上で選択および編集して決定する段階と、自動車のボディーに適合する化粧シートを選択する段階と、化粧シート上にプリンタあるいは転写によりプリント層を形成する段階と、化粧シートを決定したデザインにカットする段階と、カットした化粧シートを自動車のボディーに貼付する段階とを有し、化粧シートには耐熱性樹脂からなる化粧シートを用い、前記化粧シートをカーボディーに一旦貼着しても、熱風の吹付け等に起因する温度上昇により剥離可能に構成したことを特徴とするカーボディードレスアップシステム。
【請求項２】
コンピュータシステムのディスプレイ上で選択および編集した、自動車のボディーに適用しようとするデザインに応じた化粧シートのカット部位を、コンピュータシステムを介して化粧シートに表示できるようにした請求項１に記載のカーボディードレスアップシステム。
【請求項３】
コンピュータシステムのディスプレイ上において、予め記憶された自動車のボディー上にデザインを適用した状態を確認できるようにした請求項１または２に記載のカーボディードレスアップシステム。
【発明の詳細な説明】
【０００１】
【発明の属する技術分野】
この発明は自動車のボディーを多種多様な化粧シートを用いて装飾し、ほとんどがモノトーンや単色系であり、せいぜいツートンカラーで塗装されているため非常に単調で飽きのきやすい自動車のボディーを、カラフルでファッショナブルなものにし、気分転換に役立ったり、季節感を得ることができ、また簡単に剥すことにより元の塗装色に戻すことのできるカーボディードレスアップシステムに関するものである。
【０００２】
【従来の技術】
従来、自動車のボディーはほとんどがモノトーンと単色系の塗料によって化粧されていたり、せいぜいツートンカラーで塗装されているために非常に単調であった。そのため自動車のボディーをカラフルでファッショナブルなものとしようとすると、ほとんどがペインティングの方法で手作業によって自動車のボディーを塗装し、デザインを施す必要があった。したがって愛好者が、特殊な業者に依頼して自動車のボディーに所望のデザインの化粧を施していた。また簡単に元の塗装色に戻すことができなかったのが実情である。
【０００３】
他方、自動車に高級感を持たせるために、自動車のボディーの側面や後部に、部分的に木目模様等の化粧板を帯状に設置することも行なわれており、通常は化粧板をフレーム等で機構的に保持している。
【０００４】
【発明が解決しようとする課題】
しかしながら上記従来例の自動車のボディーにペインティングの方法で塗装によって所望のデザインの化粧を施すのものにおいては、手間がかかるために完成までに多大の時間を要し、また業者に非常に高い対価を要求されたり、元の塗装色に戻すことができないのが現状である。
【０００５】
しかも塗装の場合には塗料中の揮発成分等が人体に悪影響を及ぼすばかりでなく、いわゆる環境ホルモンとして知られる成分を空中に分散させ、環境にも悪影響を及ぼしかねないというがおそれがある。
【０００６】
また、自動車のボディーに木目模様等の化粧板を貼付する方法も、所望のデザインの化粧を施すことができないばかりか、化粧板の取り付けの機構が複雑であったり、仮に好みの化粧板への衣替えをしたいと思った場合にも、簡単に化粧板を取り換えることができないという欠点があった。
【０００７】
なお、印刷されたカラフルなフィルム類が、いわゆるステッカとして知られているが、これはワンポイントマークとして、あるいはレーシングカーその他の特殊な分野において自動車のボデイに貼り付けて使用されており、この発明の目的とするカーボディーデザインとしては使用されておらず、またこのような使用に耐えるものではない。
【０００８】
そこでこの発明は従来例の上記欠点を解消することを目的とし、低コストで迅速に自動車のボディーに化粧を施すことができ、自動車のボディーをカラフルでファッショナブルなものとすることができ、また簡単に剥すことにより元の塗装色に戻すことができるカーボディードレスアップシステムを提供しようとするものである。
【０００９】
【課題を解決するための手段】
すなわちこの発明のカーボディードレスアップシステムは、自動車のボディーに適用しようとするデザインをコンピュータシステムのディスプレイ上で選択および編集して決定する段階と、自動車のボディーに適合する化粧シートを選択する段階と、化粧シート上にプリンタあるいは転写によりプリント層を形成する段階と、化粧シートを決定したデザインにカットする段階と、カットした化粧シートを自動車のボディーに貼付する段階とを有し、化粧シートには耐熱性樹脂からなる化粧シートを用い、前記化粧シートをカーボディーに一旦貼着しても、熱風の吹付け等に起因する温度上昇により剥離可能に構成したことを特徴とするものである。
【００１０】
この発明のカーボディードレスアップシステムは、上記コンピュータシステムのディスプレイ上で選択および編集した、自動車のボディーに適用しようとするデザインに応じた化粧シートのカット部位を、コンピュータシステムを介して化粧シートに表示できるようにしたことを特徴とするものである。
【００１１】
この発明のカーボディードレスアップシステムは、上記コンピュータシステムのディスプレイ上において、予め記憶された自動車のボディー上にデザインを適用した状態を確認できるようにしたことを特徴とするものである。
【００１２】
この発明のカーボディードレスアップシステムによれば、デザインの自動車ボディーへの適用を低コストで迅速に行なうことができ、特殊な業者に依頼しなくても自動車のボディーをカラフルでファッショナブルなものとすることができ、また簡単に剥すことにより元の塗装色に戻すことができるカーボディードレスアップシステムを提供することができるようになった。
【００１３】
【発明の実施の形態】
以下、この発明のカーボディードレスアップシステムの実施の形態について、図面に基づき詳細に説明する。
【００１４】
図１のフロー図において、それぞれ（ａ）は自動車のボディーに新規に化粧を施すシステム、（ｂ）は自動車のボディーに施した化粧シートを剥してリメイクするシステムを説明するためのものである。なお、以下の説明において自動車とは、小型自動車、普通自動車、軽自動車等の乗用車のみならず、近年普及してきたレクレーショナルビーヒクル（ＲＶ）、商用自動車、トラック、バス、救急車やパトカー等の緊急自動車、その他の自動車を含む。
【００１５】
図１（ａ）の自動車のボディーに新規に化粧を施すシステムにおいては先ず、デザインを施そうとする自動車の車種や用途等に応じて、あるいは依頼者の希望をも取り込んで、自動車のボディーに適用しようとするデザインを決定する。なおこのようなデザインの決定作業は、自動車のボディーに適用しようとするデザインのサンプルを、コンピュータシステムのハードディスク等の記憶装置に収納しておき、これをディスプレイ上に呼び出して選択することにより、簡易かつ迅速に行なうことができる。また上記デザインの選択システムに編集機能を持たせておくことにより、適宜のデザインサンプルを変形したり、種々のデザインサンプルを組み合わせたり、また写真や図形等をイメージリーダで読み取って編集したりすることができる。
【００１６】
なお、予め自動車の車種に応じてそのデータをコンピュータシステムのハードディスク等の記憶装置に登録しておき、上記コンピュータシステムのディスプレイ上において、予め登録された自動車のボディー上に上記デザインを適用した状態を確認できるようにしておくことが望ましい。
【００１７】
次に自動車のボディーに適合する化粧シートを車種や用途、デザイン等に応じて選択する。この化粧シートは、建築物の内装材や外装材として使用されている耐熱性の繊維補強樹脂等からなる化粧シートが好適に使用できる。例えば、住友スリーエム株式会社製のＤＩ−ＮＯＣ（ダイノック 商品名 塩化ビニール製）、シーアイ化成株式会社のｂｅｌｂｉｅｎ（ベルビアン 商品名 フッ素系樹脂製）、リンテック株式会社のＬｕｍｉｄｅａｒ（ルミディア 商品名 フッ素系樹脂製）が好適に使用することができる。
【００１８】
なお化粧シートの選択も木目模様や大理石模様、その他の多数の化粧シートのデータを、コンピュータシステムのハードディスク等の記憶装置に収納しておき、これをディスプレイ上に呼び出して選択することにより、簡易かつ迅速に行なうことができる。
【００１９】
以上の作業が終わった段階で、ある程度の正確な見積もりを行なうことができるので、これを依頼者に呈示して予算見積もりの確認を求めておくことが望ましい。
【００２０】
さらに、自動車のボディーに適用しようとするカットを決定する。もちろんこのようなカットの決定作業も、自動車のボディーに適用しようとするカットのサンプルを、コンピュータシステムのハードディスク等の記憶装置に収納しておき、これをディスプレイ上に呼び出して選択することにより、簡易かつ迅速に行なうことができる。そして上記と同様に、カットの選択システムに編集機能を持たせておくことにより、適宜のカットサンプルを変形したり、種々のカットを組み合わせたり、またディスプレイ上で編集したりすることができる。
【００２１】
そして、得たカットデザインを化粧シート上に表示させる。このカットデザインの表示は、上記デザインの決定や化粧シートの決定、カットの決定のために用いているコンピュータシステムのプリンタを利用して行なうことができる。この場合のプリンタは所定の厚みの化粧シートを搬送できるものであることが必要である。また別途他の種類のシートにプリントしたものを化粧シートに転写することによって行なうこともできる。
【００２２】
もちろん、化粧シートのカットは上記表示に沿って手作業で行なうこともできるが、コンピュータシステムのプリンタに代えて化粧シートのカッティング装置を接続しておき、コンピュータシステムで決定されたカットデザインをそのまま化粧シートに適用してカットを施すこともできる。このようなカッティング装置としては、プロッタのペンに代えてナイフを設置した構造のものや、熱で溶断するもの、レーザカッタ等が使用できる。
【００２３】
以上の作業に用いることができるコンピュータシステムの例を図２に示す。すなわち、ＣＰＵ（中央制御装置）１にはキーボード２やイメージリーダ３等の入力装置が接続されている。そしてＣＰＵ１に接続されたディスプレイ４上にこれらの入力装置から入力された情報を出力表示し、所定のデザインの選択や編集を行なうのである。同様に決定されたカットデザインは、プリンタ５に出力表示される。なおＣＰＵ１には外部記憶装置としてのハードディスク６等を接続しておくことが望ましい。
【００２４】
カットされた化粧シートは自動車のボディーの適所に貼付される。なおその前に、自動車のボディーの表面のワックスをコンパウンド等で完全に除去し、クリーンな表面にしておくことが必要である。もしワックスを除去しておかないと、化粧シートの接着能力が低下したり、空気玉が残って美しい仕上り状態を得ることができない。
【００２５】
この貼付作業は、予め自動車のボディーに目印を施しておき、その目印に沿って化粧シートを貼付すればよい。なお、貼る位置等を間違えてしまった場合には、携帯式のドライヤー等で熱風を吹き当てて熱を加えながら剥離作業を行なえば、簡単に剥すことができる。
【００２６】
このようにして化粧を施した自動車の例を図３および図４に示す。図において１１は自動車のボディー、１２は自動車のボンネット上に施した化粧シートである。
【００２７】
図５はその要部拡大断面図であり、自動車のボディー１１に接着剤１３を介して所望のデザインの化粧シート１２が貼付されている。１４は化粧シート１２に施したカット部分である。
【００２８】
その後完成状態を検査し、確認後は費用を請求することにより、自動車の化粧作業が終了する。
【００２９】
次に、図１（ｂ）の自動車のボディーに施した化粧シートを剥し、リメイクするシステムについて説明する。このシステムでは、上記自動車のボディーに新規に化粧シートによる化粧を施すシステム（ａ）とは、旧化粧シートの剥離除去作業が必要となる点においてのみ異なっている。
【００３０】
この旧化粧シートの剥離除去作業は、自動車のボディーを傷付けないように注意深く行なうことが望ましい。ちなみに木製のへら等で化粧シートの端部を起こし、上記ドライヤー等で熱風を吹き当てて熱を加えながら、起きた部分から引き剥がすことによって化粧シートを自動車のボディーから簡単に除去することができる。もちろん、夏季等の日照等で温度が上昇しているときには熱風を当てるまでもなく、簡単にはがすことができる。
その後の工程は（ａ）の自動車のボディーに新規に化粧を施すシステムと同様である。
【００３１】
この発明において化粧を施される自動車のボディーは、通常曲面を備えている。したがって化粧シートは自動車のボディーの曲面を外して貼付することが望ましい。もちろん、化粧シートに施すカットを工夫することにより、自動車のボディーの曲面に沿ってぴったりと貼付することが可能である。
【００３２】
もちろん上記化粧シートにより、社名やアート、写真等を表示することもでき、したがって自動車ボディーのドレスアップだけでなく、宣伝広告の効果をも兼ね備えさせることができる。
【００３３】
また、例えば自動車の後部のドアガラス等のように、化粧シートを貼ることが許容されている箇所には、自動車のボディーと同様に化粧シートを貼って自動車のドレスアップを図ることができる。
【００３４】
【発明の効果】
この発明のカーボディードレスアップシステムによれば、デザインの自動車ボディーへの適用を低コストで迅速に行なうことができ、特殊な業者に依頼しなくても自動車のボディーをカラフルでファッショナブルなものとすることができ、また簡単に剥すことにより元の塗装色に戻すことができるカーボディードレスアップシステムを提供することができるようになった。
【００３５】
また自動車の塗装は新車当時は全部単色塗装なので、例えば使用中に泥はねやほこりが目立つ欠点があったが、この発明のカーボディードレスアップシステムで柄物の化粧シートを自動車のボディーに貼れば、泥はねやほこりが目立つことはなくなる。
【図面の簡単な説明】
【図１】この発明のカーボディードレスアップシステムの一実施例を示すフロー図であり、（ａ）は自動車のボディーに新規に化粧を施すシステム、（ｂ）は自動車のボディーに施した化粧シートを剥し、リメイクするシステムを示すものである。
【図２】この発明に使用可能なコンピュータシステムを示すブロック図である。
【図３】化粧を施した自動車の例を示す平面図である。
【図４】化粧を施した自動車の例を示す側面図である。
【図５】その要部拡大断面図である。
【符号の説明】
１ ＣＰＵ
２ キーボード
３ イメージリーダ
４ ディスプレイ
５ プリンタ
６ ハードディスク
１１ 自動車のボディー
１２ 化粧シート
１３ 接着剤
１４ カット部分
【図１】
0004212063.tif 000002
【図２】
0004212063.tif 000003
【図３】
0004212063.tif 000004
【図４】
0004212063.tif 000005
【図５】
0004212063.tif 000006